(57)【要約】【課題】表面形状にばらつきが生じにくい操作端末器を提供する。【解決手段】操作端末器２は、ケース２０と、スイッチと、回路ブロックと、操作部２１と、固定枠２７０と、を備えている。スイッチは、ケース２０に収納されている。回路ブロックは、ケース２０に収納されており、スイッチのオンオフに応じた操作信号を、信号線を介して親機に送信する。操作部２１は、ケース２０の前方に設けられており、押し操作によりスイッチのオンオフを切り替える。固定枠２７０は、操作部２１を保持し、操作部２１と共にケース２０の前面を覆うように、ケース２０に取り付けられる。【選択図】図１
2017068991.tif 000002
【特許請求の範囲】
【請求項１】
ケースと、
前記ケースに収納されたスイッチと、
前記ケースに収納されており、前記スイッチのオンオフに応じた操作信号を、信号線を介して親機に送信する回路ブロックと、
前記ケースの前方に設けられており、押し操作により前記スイッチのオンオフを切り替える操作部と、
前記操作部を保持し、前記操作部と共に前記ケースの前面を覆うように、前記ケースに取り付けられる固定枠と、
を備える操作端末器。
【請求項２】
前記操作部と前記固定枠との少なくとも一方には、前記操作部に対して前記操作部を前方へ押す向きの弾性力を作用させるばね片が形成されている請求項１に記載の操作端末器。
【請求項３】
前記スイッチ及び前記操作部は一対一に対応して複数ずつ設けられている請求項１又は２に記載の操作端末器。
【請求項４】
前記固定枠は、四角枠状の外枠部と、前記外枠部を構成する４本の辺部のうち互いに対向する一対の辺部間に架け渡された桟部とを有し、
前記複数の操作部は、前記外枠部で囲まれた領域であって前記桟部により区分された複数の小領域に分かれて配置される請求項３に記載の操作端末器。
【請求項５】
前記操作部は、前記ケースの前面に沿う所定方向の両端部に支点部及び移動端を有し、押し操作時には前記支点部を中心に回転して前記移動端が後方に移動するように、前記固定枠にて保持されている請求項１〜４のいずれか１項に記載の操作端末器。
【請求項６】
前記操作部には、対応する前記スイッチのオンオフに応じた前記操作信号による負荷の制御状態を表す表示部が設けられ、
前記表示部は、前記操作部における前記所定方向の中心位置よりも前記移動端側に配置されている請求項５に記載の操作端末器。
【請求項７】
前記操作部は、後面が開口したラベル収納スペースと、前記ラベル収納スペースの開口を塞ぐ蓋部とを有し、
前記蓋部は、前記ケースの前面に沿う一方向の一端部に軸部を有し、前記軸部周りで回転することにより前記ラベル収納スペースの開口を開閉するように構成されており、
前記蓋部の後面には、前記スイッチに向けて突出する突起が形成されている
請求項１〜６のいずれか１項に記載の操作端末器。
【発明の詳細な説明】
【技術分野】
【０００１】
本発明は、操作端末器に関する。
【背景技術】
【０００２】
従来、負荷を遠隔制御する遠隔監視制御システム用の操作端末器（操作スイッチ）が提供されている（例えば特許文献１参照）。遠隔監視制御システムは、操作端末器の操作によりアドレス信号、制御信号等を制御端末器（端末器）に送り、制御端末器側に設けられた負荷を遠隔制御する。
【０００３】
特許文献１に記載の操作端末器は、スイッチ本体を収容する本体ケースを有している。本体ケースの前面（表面）側には操作部（スイッチ操作部）が形成される。本体ケースは、取付枠（ケースサポート）に保持される。取付枠は、壁に形成される取付溝内に固定される。本体ケースを保持した取付枠が壁に取り付けられた状態で、取付枠の前面には化粧カバープレートが重ね合わせて固定される。
【先行技術文献】
【特許文献】
【０００４】
【特許文献１】特開平３−２５２０１７号公報
【発明の概要】
【発明が解決しようとする課題】
【０００５】
特許文献１記載の操作端末器では、取付枠の施工状態によって、取付枠や本体ケースに反りが生じて、本体ケースの前面と化粧カバープレートの前面との相対的な位置関係にばらつきを生じることがある。すなわち、上述したような構成の操作端末器では、本体ケースの前面に形成された操作部と、操作部を囲むように配置された化粧カバープレートとで、壁表面からの突出量にばらつきが生じ、結果的に、操作端末器の表面形状にばらつきを生じる可能性がある。
【０００６】
本発明は上記事由に鑑みてなされており、表面形状にばらつきが生じにくい操作端末器を提供することを目的とする。
【課題を解決するための手段】
【０００７】
本発明の操作端末器は、ケースと、前記ケースに収納されたスイッチと、前記ケースに収納されており、前記スイッチのオンオフに応じた操作信号を、信号線を介して親機に送信する回路ブロックと、前記ケースの前方に設けられており、押し操作により前記スイッチのオンオフを切り替える操作部と、前記操作部を保持し、前記操作部と共に前記ケースの前面を覆うように、前記ケースに取り付けられる固定枠と、を備える。
【発明の効果】
【０００８】
本発明は、表面形状にばらつきが生じにくい、という利点がある。
【図面の簡単な説明】
【０００９】
【図１】実施形態１に係る操作端末器の構成を示す斜視図である。
【図２】実施形態１に係る操作端末器の構成を示す正面図である。
【図３】実施形態１に係る操作端末器の構成を示し、斜め前方から見た分解斜視図である。
【図４】実施形態１に係る操作端末器の構成を示し、斜め後方から見た分解斜視図である。
【図５】図５Ａは実施形態１に係るパネルユニットの構成を示す斜視図、図５Ｂは実施形態１に係るパネルユニットの構成を示す切断部端面図である。
【図６】実施形態１に係るパネルユニットの要部を示し、蓋部の開閉動作を説明するための斜視図である。
【図７】実施形態１に係る操作端末器を用いた監視制御システムの概略構成を示すブロック図である。
【図８】図８Ａは実施形態２に係るパネルユニットの構成を示す斜視図、図８Ｂは実施形態２に係るパネルユニットの構成を示す切断部端面図である。
【発明を実施するための形態】
【００１０】
以下の実施形態は、操作端末器に関し、とくにスイッチのオンオフに応じた操作信号を信号線を介して親機に送信する操作端末器に関する。
【００１１】
（実施形態１）
（１）概要
本実施形態の操作端末器２は、図１〜図６に示すように、ケース２０と、スイッチ２２と、回路ブロック２３と、操作部２１と、固定枠２７０と、を備えている。
【００１２】
スイッチ２２は、ケース２０に収納されている。回路ブロック２３は、ケース２０に収納されており、スイッチ２２のオンオフに応じた操作信号を、信号線７（図７参照）を介して伝送ユニット（親機）１（図７参照）に送信する。操作部２１は、ケース２０の前方に設けられており、押し操作によりスイッチ２２のオンオフを切り替える。固定枠２７０は、操作部２１を保持し、操作部２１と共にケース２０の前面を覆うように、ケース２０に取り付けられる。
【００１３】
本実施形態では、スイッチ２２及び操作部２１は、一対一に対応して複数ずつ設けられている。つまり、スイッチ２２は、複数（本実施形態では８つ）設けられており、操作部２１も同様に、複数（本実施形態では８つ）設けられている。以下では、複数のスイッチ２２を区別する場合、複数のスイッチ２２の各々を「スイッチ２２１」〜「スイッチ２２８」という。また、複数の操作部２１を区別する場合、複数の操作部２１の各々を「操作部２１１」〜「操作部２１８」という。複数の操作部２１１〜２１８は、複数のスイッチ２２１〜２２８に一対一に対応して設けられている。さらにまた、本実施形態では、複数の操作部２１１〜２１８の集合を「操作ブロック２１０」ともいう。操作ブロック２１０は、固定枠２７０と共に「パネルユニット９」を構成する。
【００１４】
（２）詳細
以下に説明する構成は、本発明の一例に過ぎず、本発明は、下記実施形態に限定されることはなく、この実施形態以外であっても、本発明に係る技術的思想を逸脱しない範囲であれば、設計等に応じて種々の変更が可能である。また、本実施形態では、パネルユニット９の前面に直交する方向を前後方向とし、かつパネルユニット９の前面が前方を向いていることとして説明するが、この方向は操作端末器２の使用形態を限定する趣旨ではない。つまり、パネルユニット９の前面が前方を向いていることは必須ではなく、操作端末器２は、例えば天井などに取り付けられ、パネルユニット９の前面が下方を向いた状態で使用されてもよい。
【００１５】
（２．１）監視制御システム
本実施形態の操作端末器２が用いられる監視制御システム１０について説明する。
【００１６】
監視制御システム１０は、図７に示すように、親機としての伝送ユニット１と、子機としての複数（本実施形態では２つ）の操作端末器２とを備える。また、本実施形態の監視制御システム１０は、複数（本実施形態では２つ）の制御端末器３をさらに備える。これらの伝送ユニット１、操作端末器２及び制御端末器３は、２線式（図では１線で表す）の信号線７により互いに電気的に接続されている。
【００１７】
各制御端末器３には、図７に示すように、複数（本実施形態では４つ）のリレー４が接続線８により電気的に接続されている。また、各リレー４は、対応する照明器具５と電源との間に電気的に接続されている。そして、各リレー４は、制御端末器３からの出力に従って、対応する照明器具５への給電経路を形成する状態と、対応する照明器具５への給電経路を遮断する状態とが切り替わる。つまり、制御端末器３は、リレー４を制御することによって、リレー４に電気的に接続された負荷（本実施形態では照明器具５）の通電状態を制御する。なお、図７では、左側の制御端末器３に電気的に接続されるリレー４及び照明器具５の図示を省略している。
【００１８】
各操作端末器２及び各制御端末器３には、固有のアドレスが設定される。伝送ユニット１は、これらのアドレスを用いて操作端末器２及び制御端末器３を個別に認識する。ここで、１つの操作端末器２に複数のスイッチ２２が備わっている場合には、複数のスイッチ２２の各々に固有のアドレスが設定される。同様に、１つの制御端末器３に複数のリレー４が接続されている場合には、複数のリレー４の各々に固有のアドレスが設定される。
【００１９】
監視制御システム１０では、例えば双極性（±２４Ｖ）の時分割多重信号からなる伝送信号によりデータの送受信が行われる。伝送ユニット１は、サイクリックに変更されるアドレスデータを含む伝送信号を信号線７に対して定期的に送出する。一方、操作端末器２及び制御端末器３は、伝送信号に含まれるアドレスデータが自己のアドレスに一致すると、伝送信号に含まれる制御データを取り込む。そして、操作端末器２及び制御端末器３は、伝送信号の信号返送期間において監視データを電流モード信号として返送する。
【００２０】
例えば、操作端末器２は、自己が備えるスイッチ２２１〜２２８の操作状態を監視データとして伝送ユニット１に返送する。制御端末器３は、対応する照明器具５の制御状態（リレー４のオンオフ）を監視データとして伝送ユニット１に返送する。なお、電流モード信号とは、信号線７の線間を開放した状態と、線間に低インピーダンスの素子を接続した状態との切り替えによって生じる電流変化で表される信号である。
【００２１】
上記構成の監視制御システム１０によれば、操作端末器２においてスイッチ２２が操作されると、操作端末器２から親機（伝送ユニット１）へは、信号線７を介して操作信号が送信されることになる。ここでいう操作信号は、スイッチ２２のオンオフに応じて操作端末器２で発生する信号であって、操作端末器２から伝送ユニット１へ送信される電流モード信号である。
【００２２】
操作端末器２からの操作信号を受信した伝送ユニット１は、操作されたスイッチ２２にアドレスが対応するリレー４を制御するための制御信号を、信号線７を介して制御端末器３へ送信する。ここでいう制御信号は、リレー４をオンオフするための信号であって、伝送ユニット１から制御端末器３へ送信される信号である。
【００２３】
なお、本実施形態の操作端末器２においては、上述したアドレスの設定作業にアドレス設定器が用いられる。つまり、操作端末器２はアドレス設定器との通信機能を有しており、複数のスイッチ２２の各々のアドレスがアドレス設定器を用いて入力される。本実施形態では、操作端末器２とアドレス設定器との間の通信方式は、通信媒体として赤外線を用いた光通信である。ただし、この構成に限らず、操作端末器２とアドレス設定器との間の通信方式として、例えば可視光や電波を通信媒体に用いた通信方式が採用されてもよい。また、例えばアドレス設定器は操作端末器２と電線により電気的に接続され、電線を介してアドレスデータを送信してもよい。つまり、操作端末器２とアドレス設定器とが有線通信するように構成されていてもよい。
【００２４】
（２．２）操作端末器
本実施形態の操作端末器２は、図１及び図２に示すように、ケース２０と、正面視が正方形状に形成されたパネルユニット９とを備えている。パネルユニット９は、操作ブロック２１０と、操作ブロック２１０を保持する固定枠２７０とで構成されている。操作ブロック２１０は、複数（本実施形態では８つ）の操作部２１１〜２１８にて構成されている。以下では、図２の上下左右を操作端末器２の上下左右として説明するが、これらの方向は操作端末器２の使用形態を限定する趣旨ではない。
【００２５】
固定枠２７０は、四角枠状の外枠部２７を有している。本実施形態では、外枠部２７は正面視において正方形状に形成されている。外枠部２７は、正面視において略均一の幅寸法に形成されている。そのため、外枠部２７の外周縁及び内周縁は、いずれも正方形状であって、互いに相似の関係にある。したがって、外枠部２７で囲まれた領域は正方形状になる。
【００２６】
操作ブロック２１０（複数の操作部２１）は、外枠部２７で囲まれた領域に配置されている。言い換えれば、パネルユニット９の前面は、複数の操作部２１と、複数の操作部２１を囲むように配置された外枠部２７とで構成される。なお、本実施形態では、複数の操作部２１が固定枠２７０に保持された状態において、複数の操作部２１の前面は外枠部２７の前面と略面一になる。つまり、パネルユニット９の前面は略フラットになる。
【００２７】
なお、固定枠２７０及び複数の操作部２１は、いずれも電気絶縁性を有する合成樹脂製である。
【００２８】
ここで、複数の操作部２１の各々は、正面視において縦横比が略１：２（＝縦：横）となる横方向（左右方向）に長い長方形状に形成されている。複数の操作部２１は、パネルユニット９の前面において、縦方向（上下方向）にＮ個、横方向（左右方向）にＭ個ずつ並ぶように配置されている。「Ｎ」、「Ｍ」はいずれも自然数であって、本実施形態では「Ｎ＝４」、「Ｍ＝２」である。このようにそれぞれ縦横比が略１：２の長方形状に形成された複数の操作部２１が、縦×横＝４×２で配置されることで、外枠部２７で囲まれた正方形状の領域は、略全面が操作ブロック２１０（複数の操作部２１）にて埋め尽くされる。このとき、操作ブロック２１０の前面の一辺の長さは、各操作部２１の短辺の長さの略Ｎ倍（本実施形態では４倍）で、かつ各操作部２１の長辺の長さの略Ｍ倍（本実施形態では２倍）となる。
【００２９】
操作ブロック２１０及び固定枠２７０で構成されるパネルユニット９は、ケース２０の前面を覆うように、ケース２０に取り付けられる。言い換えれば、固定枠２７０は、複数の操作部２１を保持し、複数の操作部２１と共にケース２０の前面を覆うように、ケース２０に取り付けられる。
【００３０】
ここにおいて、複数の操作部２１の各々は、左右方向の両端部に支点部９２４（図３参照）及び移動端９２５（図３参照）を有し、押し操作時には支点部９２４を中心に回転して移動端９２５が後方に移動するように、固定枠２７０に保持されている。つまり、複数の操作部２１の各々は、いわゆるピアノハンドルを構成し、移動端９２５が後方に押し込まれることにより、対応するスイッチ２２のオンオフを切り替える。本実施形態では、各操作部２１の左右方向の両端部のうち、外枠部２７に近い側の端部が支点部９２４となり、外枠部２７から遠い側の端部が移動端９２５となる。つまり、左右方向に並ぶ２つの操作部２１のうち、正面視において左側の操作部２１については、左端部が支点部９２４、右端部が移動端９２５となる。一方、正面視において右側の操作部２１については、右端部が支点部９２４、左端部が移動端９２５となる。
【００３１】
本実施形態において、さらに詳しくは、正面視において複数の操作部２１の各々の短辺の長さは、外枠部２７の内周縁の一辺の長さの４分の１より僅かに短く設定されている。同様に、正面視において複数の操作部２１の各々の長辺の長さは、外枠部２７の内周縁の一辺の長さの２分の１より僅かに短く設定されている。そのため、パネルユニット９の前面において、隣接する２つの操作部２１間には、僅かな隙間が設けられている。この隙間により、隣接する２つの操作部２１間における、操作部２１の操作時の干渉が回避される。
【００３２】
また、操作端末器２は、複数の操作部２１１〜２１８に一対一に対応して設けられ、操作信号による負荷（本実施形態では照明器具５）の制御状態を表す複数（本実施形態では８つ）の表示部２４１〜２４８をさらに備えている。以下では、複数の表示部２４１〜２４８をとくに区別しない場合、複数の表示部２４１〜２４８の各々を「表示部２４」という。すなわち、操作部２１には、対応するスイッチ２２のオンオフに応じた操作信号による負荷の制御状態を表す表示部２４が設けられる。複数の表示部２４の各々は、ＬＥＤ（Light Emitting Diode）２４９（図３参照）を用いて構成されており、負荷の制御状態に応じて点灯状態が変化する。つまり、表示部２４に対応する操作部２１の操作に応じた負荷の制御状態が、表示部２４の点灯状態によって表示される。ここでいう点灯状態は、表示部２４の発光色（例えば赤、緑）や、表示部２４の点灯、消灯、点滅の別、さらには点滅パターンなどである。
【００３３】
複数の表示部２４は、図１に示すように、それぞれ対応する操作部２１に設けられている。複数の表示部２４の各々は、対応する操作部２１における左右方向の中心位置よりも移動端９２５側に配置されている。すなわち、各表示部２４は、対応する操作部２１の前面において、左右方向の外枠部２７から遠い側の端部寄りの位置に配置されている。つまり、左右方向に並ぶ２つの操作部２１のうち、正面視において左側の操作部２１にあっては、表示部２４は右端部に設けられている。一方、正面視において右側の操作部２１にあっては、表示部２４は左端部に設けられている。
【００３４】
なお、本実施形態では、複数の操作部２１及び固定枠２７０の各々においては、角部がＲ（アール）面取りされている。ただし、面取りは操作端末器２に必須の構成ではなく、適宜省略可能である。
【００３５】
以下、本実施形態の操作端末器２の内部構成を含むより具体的な構成について、図３〜図６を参照して説明する。なお、図３〜図６においては、操作端末器２の主要部を図示し、細部の図示は適宜省略している。
【００３６】
ケース２０は、図３及び図４に示すように、ボディ２６と内カバー２８とを有している。内カバー２８は、ボディ２６に対して前方から着脱可能に取り付けられ、ボディ２６に内カバー２８が取り付けられた状態でケース２０が構成される。ボディ２６及び内カバー２８は、いずれも電気絶縁性を有する合成樹脂製である。
【００３７】
ボディ２６は、正面視で固定枠２７０よりも一回り小さい正方形状に形成されている。ボディ２６には、前方に開放された収納凹所２６１が形成されている。ボディ２６における収納凹所２６１の周囲には、複数（本実施形態では２つ）の固定孔２６２が形成されている。固定孔２６２は、操作端末器２を埋込ボックスに固定するために用いられる孔であって、固定孔２６２を通して固定用ねじを埋込ボックスに締め付けることにより、埋込ボックスに対してボディ２６が固定される。
【００３８】
本実施形態では、複数の固定孔２６２は、ボディ２６の前面における左右の各辺における中央部付近に形成されている。なお、収納凹所２６１は、各固定孔２６２の近傍を除いてボディ２６の前面の外周縁に向けて張り出した形状に形成されている。言い換えれば、収納凹所２６１の開口は、左右の各辺における中央部付近において収納凹所２６１の内側に凹んだ形状に形成されている。
【００３９】
また、操作端末器２は、ケース２０に収納される回路ブロック２３を備えている。回路ブロック２３は、ボディ２６の収納凹所２６１内に収納される。回路ブロック２３は、プリント基板２３１に電子部品が実装されることにより構成されており、少なくとも信号線７を介して伝送ユニット（親機）１と通信する機能を有している。
【００４０】
回路ブロック２３は、中央処理装置（ＣＰＵ：Central Processing Unit）２３３を有している。さらに、回路ブロック２３には、アドレス設定器との通信機能を有する通信部や、アドレスを記憶する記憶部等が設けられている。中央処理装置２３３は、プリント基板２３１の後面の中央部に実装されている。通信部及び中央処理装置２３３は、いずれもプリント基板２３１の中央部、つまりケース２０の中央部に相当する位置に配置されている。
【００４１】
中央処理装置２３３は、少なくとも複数のスイッチ２２の各々のオンオフに応じた操作信号を、信号線７を介して伝送ユニット（親機）１に送信する機能を有している。さらに、中央処理装置２３３は、複数のスイッチ２２の各々のアドレスの設定や、複数の表示部２４の各々の制御を行う機能を有している。
【００４２】
さらに、本実施形態では、プリント基板２３１には、複数の操作部２１１〜２１８に一対一に対応する複数のスイッチ２２１〜２２８が実装されている。ここで、各スイッチ２２は、対応する操作部２１の押し操作によりオンオフが切り替わる押しボタンスイッチである。複数のスイッチ２２は、プリント基板２３１の前面に実装されており、回路ブロック２３と共にケース２０に収納される。本実施形態では、各スイッチ２２は、対応する操作部２１が押し操作されている間だけオンになり、操作部２１の押し操作が終了するとオフになるモーメンタリ型の押しボタンスイッチである。
【００４３】
プリント基板２３１には、複数の表示部２４を構成する複数（本実施形態では１６個）のＬＥＤ２４９がさらに実装される。複数のＬＥＤ２４９は、プリント基板２３１の前面に実装され、回路ブロック２３と共にケース２０に収納される。複数のＬＥＤ２４９は、２個１組として、複数のスイッチ２２の各々に対して１組（２個）のＬＥＤ２４９が対応するように設けられている。
【００４４】
内カバー２８は、収納凹所２６１の開口の形状に合わせて形成されている。内カバー２８は、収納凹所２６１内に回路ブロック２３が収納された状態で、収納凹所２６１の開口を塞ぐようにボディ２６に取り付けられる。内カバー２８がボディ２６に取り付けられた状態において、ボディ２６及び内カバー２８の前面がケース２０の前面に相当する。
【００４５】
内カバー２８において複数のスイッチ２２の各々に対応する位置には第１孔２８１が形成されている。また、内カバー２８において複数のＬＥＤ２４９の各々に対応する位置には第２孔２８２が形成されている。さらに、内カバー２８において、後述するハンドル９２の爪９２２に対応する位置には、前方に開放された凹所２８３が形成されている。
【００４６】
複数の操作部２１の各々は、表面カバー９１と、ハンドル９２と、蓋部９４とを有している。また、操作ブロック２１０には、複数（本実形態では４つ）のハンドル９２を連結する連結部９３が設けられている。複数の操作部２１は基本的な構成が共通であるので、以下では１つの操作部２１に着目して説明する。
【００４７】
ハンドル９２は、開口窓９２１を有する矩形枠状に形成されている。ハンドル９２の開口窓９２１は、ラベルを収納するためのラベル収納スペース９５（図６参照）を構成する。ここでいうラベルは、例えば「北側」、「南側」のように、スイッチ２２に対応する負荷（本実施形態では照明器具５）を特定するための情報（名称等）が表記された、いわゆるネームカードである。
【００４８】
ハンドル９２における左右方向の両端部は、支点部９２４及び移動端９２５に相当する。支点部９２４は、ハンドル９２における支点部９２４以外の部位に比べて薄肉に形成されたヒンジ構造である。支点部９２４は、連結部９３に繋がっている。これにより、ハンドル９２は、連結部９３に対して、支点部９２４を中心に回転して移動端９２５を後方に移動させることができる。
【００４９】
ここで、ハンドル９２の左右方向の両端部のうち移動端９２５側の端部には、爪９２２及び透孔９２３が形成されている。爪９２２は、ハンドル９２の後面から後方に突出している。透孔９２３は、ハンドル９２を前後方向に貫通している。また、ハンドル９２の左右方向の両端部のうち支点部９２４側の端部において、開口窓９２１に面したハンドル９２の内周面には、蓋部９４を回転可能に保持するための軸受部９２６が形成されている。
【００５０】
表面カバー９１は、ハンドル９２の前面に取り付けられる。表面カバー９１は、例えば両面粘着テープ、又は接着材にてハンドル９２の前面に貼り付けられる。表面カバー９１がハンドル９２の前面に取り付けられることで、開口窓９２１の前面側の開口は表面カバー９１にて塞がれる。したがって、操作部２１は、後面が開口したラベル収納スペース９５を有することになる。表面カバー９１のうち、少なくともラベル収納スペース９５（開口窓９２１）に対応する部位は透明である。また、表面カバー９１の前面には、表示部２４を構成する溝部９１１が形成されている。溝部９１１は、ハンドル９２の透孔９２３に対応する位置に形成されている。
【００５１】
なお、正面視において、表面カバー９１とハンドル９２とは略同一形状であって、いずれも横方向（左右方向）に長い長方形状に形成されている。
【００５２】
蓋部９４は、左右方向の一端部に軸部９４１を有し、軸部９４１周りで回転することによりラベル収納スペース９５の開口を開閉するように構成されている。そして、蓋部９４の後面には、スイッチ２２に向けて突出する突起９４２が形成されている。すなわち、蓋部９４の軸部９４１がハンドル９２の軸受部９２６にて支持されることにより、蓋部９４は軸部９４１を中心に回転可能な状態でハンドル９２に取り付けられる。本実施形態では、軸部９４１は、蓋部９４の左右方向の両端部のうち支点部９２４側の端部に設けられている。突起９４２は、蓋部９４の後面における中央部に設けられている。
【００５３】
固定枠２７０は、外枠部２７と、桟部２７５とを有している。外枠部２７は、４本の辺部２７１〜２７４にて、上述したように四角枠状に形成されている。なお、外枠部２７の開口面積が前端部において前端部以外よりも小さくなるように、４本の辺部２７１〜２７４の各々は、長手方向に直交する断面がＬ字状に形成されている。
【００５４】
桟部２７５は、４本の辺部２７１〜２７４のうち、上下方向に互いに対向する一対の辺部２７１，２７２間に架け渡されている。ここでは、桟部２７５は一対の辺部２７１，２７２の長手方向（左右方向）の中央部同士を連結するように形成されている。つまり、外枠部２７で囲まれた領域は、桟部２７５により２等分されることになる。以下では、外枠部２７で囲まれた領域であって、桟部２７５により区分された複数の領域の各々を「小領域」という。
【００５５】
本実施形態では、このように形成される複数の小領域に、複数の操作部２１が分かれて配置される。ここで、小領域は、正面視において外枠部２７の内周縁と桟部２７５の左右方向の中心軸とで囲まれる空間である。そのため、小領域に配置される操作部２１の一部は、前後方向において桟部２７５と重なることになる。
【００５６】
桟部２７５において、複数の凹所２８３の各々に対応する位置には前後方向に貫通した保持孔２７７が形成されている。また、桟部２７５において、複数の第２孔２８２の各々に対応する位置には前後方向に貫通した導光孔２７８が形成されている。
【００５７】
さらに、外枠部２７の内周面には、パネルユニット９とケース２０との結合用の結合爪２７９が形成されている。パネルユニット９は、ボディ２６に形成された切欠部２６３に結合爪２７９が引っ掛かることにより、ケース２０に対して着脱可能に取り付けられる。つまり、ケース２０に対するパネルユニット９の取り付け方式は嵌め込み式であって、ねじを使用しないため、ドライバなどの治具を用いることなく、パネルユニット９の着脱が可能である。
【００５８】
ここで、複数の操作部２１の各々は、押し操作が可能となるように、後方への移動が許容された状態で固定枠２７０に保持される。以下に、固定枠２７０が複数の操作部２１を保持するための、具体的な構成について、図５Ａ及び図５Ｂを参照して説明する。ここで、図５Ａ及び図５Ｂは、操作端末器２のうちパネルユニット９のみを示す図である。図５Ｂは、図２のＸ−Ｘ線切断部に相当するパネルユニット９の切断部端面図である。
【００５９】
４本の辺部２７１〜２７４のうち、左右方向に互いに対向する一対の辺部２７３，２７４の各々に対して、連結部９３が固定される。連結部９３は、一対の辺部２７３，２７４の各々の後面に、例えば溶着や接着、又は嵌め込み構造にて固定される。また、上述した保持孔２７７が、桟部２７５において複数のハンドル９２の各々の爪９２２に対応する位置に形成されている。そのため、連結部９３が外枠部２７に固定された状態で、複数の操作部２１の各々は、爪９２２が保持孔２７７に引っ掛かることにより、前方への移動が規制される。このとき、複数の操作部２１の前面は外枠部２７の前面と略面一になる。
【００６０】
さらに、本実施形態では、複数の操作部２１の各々に対して、複数の操作部２１の各々を前方へ押す向きの弾性力を作用させるばね片２７６が、固定枠２７０に形成されている。ばね片２７６は、桟部２７５から、左右方向の両側に突出するように複数本設けられている。ばね片２７６は、斜め前方に突出し複数の操作部２１の各々の後面に接触している。ばね片２７６は、１つの操作部２１に対して２つずつ設けられている。１つの操作部２１に対応する２つのばね片２７６は、先端部を操作部２１の後面における上下方向の両端部（ハンドル９２）に接触させるように配置されている。
【００６１】
これにより、各操作部２１は、押し操作により前面に押圧力を受けると、対応する２つのばね片２７６を弾性変形させながら、支点部９２４を中心に回転して移動端９２５が後方に移動する。そして、各操作部２１への押圧力がなくなると、各操作部２１は対応する２つのばね片２７６の弾性力によって押し操作前の状態に復帰する。
【００６２】
ところで、図６に示すように、複数の操作部２１が固定枠２７０に保持された状態でも、蓋部９４の開閉は可能である。つまり、本実施形態では、１つの操作部２１に対応する２つのばね片２７６の間を通して蓋部９４が開閉し、蓋部９４と固定枠２７０との干渉は生じない。ここで、蓋部９４の後面に形成されている突起９４２は、蓋部９４を開ける際に「つまみ」として利用できる。そして、蓋部９４が開放された状態では、各操作部２１の後面側からラベル収納スペース９５へのアクセスが可能となり、ラベル収納スペース９５へのラベルの挿入やラベルの交換が可能になる。
【００６３】
以上説明したように構成される操作端末器２では、ケース２０とパネルユニット９との各々を先に組み立てることができる。そして、ケース２０を埋込ボックスに固定した後で、ケース２０の前方からパネルユニット９を嵌めるようにして、パネルユニット９をケース２０に取り付ければ、操作端末器２が完成する。
【００６４】
ケース２０にパネルユニット９が取り付けられた状態では、蓋部９４に設けた突起９４２は、第１孔２８１を通して内カバー２８を貫通し、その先端部がスイッチ２２に突き合わされる。これにより、操作部２１が押し操作されると、突起９４２にてスイッチ２２が押され、操作部２１に対応するスイッチ２２のオンオフが切り替わることになる。なお、移動端９２５が後方に移動する際、爪９２２は、保持孔２７７を通して桟部２７５の後面から突出するので、内カバー２８に形成された凹所２８３は、内カバー２８と爪９２２との干渉を回避するためのスペースとして機能する。
【００６５】
また、ケース２０にパネルユニット９が取り付けられた状態では、内カバー２８の第２孔２８２、固定枠２７０の導光孔２７８、及びハンドル９２の透孔９２３が前後方向に連続する。これにより、プリント基板２３１に実装されたＬＥＤ２４９の光は、第２孔２８２、導光孔２７８、及び透孔９２３を通して、表面カバー９１の溝部９１１に到達し、操作部２１の前面に導光されることになる。
【００６６】
（３）効果
以上説明した本実施形態の操作端末器２においては、固定枠２７０は、操作部２１を保持し、操作部２１と共にケース２０の前面を覆うように、ケース２０に取り付けられる。この構成によれば、操作部２１がケース２０に保持される構成に比較して、操作部２１の前面と固定枠２７０の前面との相対的な位置関係にばらつきが生じにくい。すなわち、本実施形態の操作端末器２では、操作部２１と共にケース２０の前面を覆う固定枠２７０と、操作部２１とで、壁表面からの突出量にばらつきが生じにくく、結果的に、操作端末器２の表面形状にばらつきが生じにくい、という利点がある。これにより、例えば操作部２１の前面と外枠部２７の前面とを略面一にするなどして、操作端末器２の意匠性の向上を図ることができる。
【００６７】
さらに、本実施形態のように、ケース２０に対するパネルユニット９（固定枠２７０）の取り付け方式が嵌め込み式であれば、ドライバなどの治具を用いることなく、ケース２０に対して固定枠２７０を容易に着脱することが可能である。そのため、例えば操作端末器２を壁に取り付ける際には、ケース２０を埋込ボックス等にねじ止めし、ケース２０に固定枠２７０を嵌め込むだけでよい。したがって、例えば特許文献１に記載のように、取付枠を用いて本体ケースを壁に取り付けた後、さらに本体ケースに対して化粧カバープレートをねじ止めする構成に比べると、ねじ止めが１回で済むため施工が容易である。
【００６８】
また、本実施形態のように、操作部２１と固定枠２７０との少なくとも一方には、操作部２１に対して操作部２１を前方へ押す向きの弾性力を作用させるばね片２７６が形成されていることが好ましい。この構成によれば、操作部２１に復帰力を与えるためのばねが操作部２１及び固定枠２７０とは別に設けられる場合に比べて、操作端末器２の部品点数を少なく抑えることができる。本実施形態でのばね片２７６は操作端末器２に必須の構成ではなく、ばね片２７６は適宜省略されていてもよい。
【００６９】
また、本実施形態のように、スイッチ２２及び操作部２１は一対一に対応して複数ずつ設けられていることが好ましい。この構成によれば、複数の操作部２１が固定枠２７０にて保持されるので、複数の操作部２１間における壁表面からの突出量のばらつきも生じにくい、という利点がある。スイッチ２２及び操作部２１が複数ずつ設けられていることは操作端末器２に必須の構成ではなく、スイッチ２２及び操作部２１は１つずつであってもよい。
【００７０】
また、本実施形態のように、固定枠２７０は、四角枠状の外枠部２７と、外枠部２７を構成する４本の辺部２７１〜２７４のうち互いに対向する一対の辺部２７１，２７２間に架け渡された桟部２７５とを有することが好ましい。この場合、複数の操作部２１は、外枠部２７で囲まれた領域であって桟部２７５により区分された複数の小領域に分かれて配置されることが好ましい。この構成によれば、複数の操作部２１の各々は外枠部２８と桟部２７５とで保持可能となり、複数の操作部２１は１つの固定枠２７０に対して複数列に分かれて配置可能となる。固定枠２７０についての上記構成は操作端末器２に必須の構成ではなく、例えば桟部２７５が省略されて、複数の操作部２１は一列に配置されてもよい。
【００７１】
また、本実施形態のように、操作部２１は、ケース２０の前面に沿う所定方向の両端部に支点部９２４及び移動端９２５を有し、押し操作時には支点部９２４を中心に回転して移動端９２５が後方に移動するように、固定枠２７０にて保持されていることが好ましい。この構成によれば、操作部２１は、いわゆるピアノハンドルを構成し、移動端９２５に近い部位が押されることで、比較的弱い力で押し操作が可能になる。
【００７２】
また、本実施形態のように、操作部２１には、対応するスイッチ２２のオンオフに応じた操作信号による負荷（照明器具５）の制御状態を表す表示部２４が設けられていることが好ましい。この場合、表示部２４は、操作部２１における所定方向の中心位置よりも移動端９２５側に配置されていることが好ましい。この構成によれば、表示部２４にて負荷（照明器具５）の制御状態を視認することが可能である。しかも、表示部２４は、操作部２１の中心位置よりも移動端９２５側に配置されるので、ユーザが操作部２１を押し操作する際、各操作部２１の前面における移動端９２５寄りの位置を押し操作するように表示部２４にて誘導することができる。本実施形態での表示部２４は操作端末器２に必須の構成ではなく、表示部２４は適宜省略されていてもよい。表示部２４は操作部２１の中心位置よりも移動端９２５側になくてもよい。
【００７３】
また、本実施形態のように、操作部２１は、後面が開口したラベル収納スペース９５と、ラベル収納スペース９５の開口を塞ぐ蓋部９４とを有することが好ましい。蓋部９４は、ケース２０の前面に沿う一方向の一端部に軸部９４１を有し、軸部９４１周りで回転することによりラベル収納スペース９５の開口を開閉するように構成されている。この場合、蓋部９４の後面には、スイッチ２２に向けて突出する突起９４２が形成されていることが好ましい。この構成によれば、蓋部９４を開くことにより、操作部２１の後面側からラベル収納スペース９５へのアクセスが可能となり、ラベル収納スペース９５へのラベルの挿入やラベルの交換が可能になる。しかも、蓋部９４の後面に形成された突起９４２は、操作部２１の押し操作時にスイッチ２２を押すだけでなく、蓋部９４を開ける際の「つまみ」としても利用可能である。本実施形態でのラベル収納スペース９５及び蓋部９４は操作端末器２に必須の構成ではなく、ラベル収納スペース９５及び蓋部９４は適宜省略されていてもよい。
【００７４】
（４）変形例
以下、実施形態１の変形例を列挙する。
【００７５】
実施形態１では、パネルユニット９の正面視の形状は正方形状であるが、この構成に限らず、例えばパネルユニット９は正面視が円形状に形成されていてもよい。同様に、複数の操作部２１の各々の正面視の形状についても、長方形状に限らず例えば楕円形状であってもよい。また、複数の操作部２１の正面視の形状は同一でなくてもよい。
【００７６】
また、実施形態１では、複数の操作部２１の前面と外枠部２７の前面とは、略面一に配置されているが、この構成は操作端末器２に必須の構成ではない。つまり、例えば複数の操作部２１の前面が外枠部２７の前面よりも後方に位置してもよいし、反対に、複数の操作部２１の前面が外枠部２７の前面よりも前方に位置してもよい。
【００７７】
また、操作部２１は、ケース２０の前面に直交する方向に移動可能となるように、固定枠２７０に保持されていてもよい。具体例としては、操作部２１は、パンタグラフ構造で、押し操作された際に前面を傾けることなく真っ直ぐ後方へ移動（直進移動）可能に構成される。この構成では、操作部２１の前面におけるいずれの位置が押し操作されても対応するスイッチ２２のオンオフを切り替えることができ、操作部２１の操作性が向上する。
【００７８】
また、ばね片２７６は、操作部２１と固定枠２７０との少なくとも一方に形成されていればよく、例えば、操作部２１にばね片２７６が形成されていてもよい。又は、ばね片２７６は、操作部２１と固定枠２７０との両方に形成されていてもよい。いずれの場合でも、ばね片２７６は、操作部２１に対して操作部２１を前方へ押す向きの弾性力を作用させるように構成される。
【００７９】
また、固定枠２７０は、外枠部２７を構成する４本の辺部２７１〜２７４のうち互いに対向する一対の辺部２７１，２７２間に架け渡された桟部２７５を、複数本有していてもよい。この場合、外枠部２７で囲まれた領域は、桟部２７５により３以上の小領域に区分されることになる。したがって、複数の操作部２１は、外枠部２７で囲まれた領域であって桟部２７５により区分された３以上の小領域に分かれて配置される。
【００８０】
また、実施形態１では、監視制御システム１０が操作端末器２及び制御端末器３をそれぞれ２つ備える場合を例示しているが、監視制御システム１０は操作端末器２及び制御端末器３をそれぞれ１つ、又は３つ以上備えていてもよい。また、操作端末器２及び制御端末器３は、実施形態１のように同数であってもよいし、同数でなくてもよい。
【００８１】
また、実施形態１では、制御端末器３に電気的に接続されるリレー４が４つの場合を例示しているが、リレー４は１つ、２つ又は３つでもよいし、５つ以上でもよい。
【００８２】
また、制御端末器３にてリレー４をオンオフすることにより制御される負荷は、照明器具５に限らず、例えば換気扇や空調装置などの負荷であってもよい。
【００８３】
なお、実施形態１では、複数の表示部２４の各々はＬＥＤ２４９により構成されているが、例えば７セグメントディスプレイ（Seven-Segment Display）や液晶ディスプレイ（ＬＣＤ：Liquid Crystal Display）により表示部２４が構成されていてもよい。
【００８４】
（実施形態２）
本実施形態の操作端末器２は、図８Ａ及び図８Ｂに示すように、パネルユニット９Ａの構成が、実施形態１のパネルユニット９とは相違する。以下、実施形態１と同様の構成については、共通の符号、又は実施形態１で用いた符号に「Ａ」を付加した符号を付し、適宜説明を省略する。
【００８５】
本実施形態のパネルユニット９Ａでは、ばね片２７６Ａは、桟部２７５Ａではなく、左右方向に対向する一対の辺部２７３Ａ，２７４Ａに形成されている。ばね片２７６Ａは、一対の辺部２７３Ａ，２７４Ａの各々から、桟部２７５Ａに向けて突出するように設けられている。つまり、ばね片２７６Ａは、操作部２１Ａにおける所定方向の中心位置よりも支点９２４Ａ側から突出するように構成されている。
【００８６】
以上説明した本実施形態の操作端末器２であっても、操作部２１に復帰力を与えるためのばねが操作部２１Ａ及び固定枠２７０Ａとは別に設けられる場合に比べて、操作端末器２の部品点数を少なく抑えることができる。
【００８７】
なお、本実施形態の構成は、実施形態１（変形例を含む）と適宜組み合わせて適用可能である。
【符号の説明】
【００８８】
１  伝送ユニット（親機）
２  操作端末器
５  照明器具（負荷）
７  信号線
２０  ケース
２１，２１１〜２１８，２１Ａ，２１１Ａ〜２１８Ａ  操作部
２２，２２１〜２２８  スイッチ
２３  回路ブロック
２４，２４１〜２４８  表示部
２７，２７Ａ  外枠部
９４  蓋部
９５  ラベル収納スペース
２７０，２７０Ａ  固定枠
２７１〜２７４，２７１Ａ〜２７４Ａ  辺部
２７５，２７５Ａ  桟部
２７６，２７６Ａ  ばね片
９２４，９２４Ａ  支点部
９２５  移動端
９４１  軸部
９４２，９４２Ａ  突起
【図１】
2017068991.tif 000003
【図２】
2017068991.tif 000004
【図３】
2017068991.tif 000005
【図４】
2017068991.tif 000006
【図５】
2017068991.tif 000007
【図６】
2017068991.tif 000008
【図７】
2017068991.tif 000009
【図８】
2017068991.tif 000010